(57)【要約】【課題】良好な遮音性能を長期に亘って安定的に維持することができ、施工性も良好であり、しかも床レベルを低く抑えて室内空間を広く確保することができる木造住宅の遮音床構造を提供する。【解決手段】この遮音床構造は、略平行に配置した床梁１、１の側面間に複数の根太３・・を差し渡して、梁１、１の上面よりも下方に位置する根太３・・の上面に跨って受け板５を取り付け、この受け板５上に粒状体７・・を敷き込んで、梁１、１の上面に跨って床下地板８を取り付けることで、床下地板８と受け板５との間に粒状体７・・を微動可能に封入して衝撃ダンパを構成している。【選択図】図１
2008133638.tif 000002
【特許請求の範囲】
【請求項１】
略平行に配置した梁（１）（１）の側面間に複数の根太（３）・・を差し渡して、前記梁（１）（１）の上面よりも下方に位置する前記根太（３）・・の上面に跨って受け板（５）を取り付け、この受け板（５）上に粒状体（７）・・を敷き込んで、前記梁（１）（１）の上面に跨って床下地板（８）を取り付けることで、前記床下地板（８）と受け板（５）との間に前記粒状体（７）・・を微動可能に封入したことを特徴とする木造住宅の遮音床構造。
【請求項２】
前記粒状体（７）・・を、上下方向に１個のみ存在するような薄層状に敷き込んだ請求項１記載の木造住宅の遮音床構造。
【請求項３】
前記床下地板（８）と受け板（５）との間に、スペーサ（６）・・を介装した請求項１又は２記載の木造住宅の遮音床構造。
【請求項４】
前記スペーサ（６）・・を、前記粒状体（７）・・の敷き込み範囲設定用の枠材とした請求項３記載の木造住宅の遮音床構造。
【請求項５】
前記受け板（５）及び床下地板（８）は、合板からなる請求項１乃至４のいずれかに記載の木造住宅の遮音床構造。
【発明の詳細な説明】
【技術分野】
【０００１】
この発明は、衝撃ダンパを用いた木造住宅の遮音床構造に関する。
【背景技術】
【０００２】
一般に、戸建て住宅やマンション等の建物において、上階から下階へ伝搬する床衝撃音を低減して遮音性能を向上させるために、床板や天井板の面密度を大きくするといった対策が採られている。
【０００３】
しかしながら、この場合、床構造や天井構造において多大な重量付加を伴い、特に木造住宅や軽量鉄骨造住宅では、このような重い床構造や天井構造を支えるだけの構造体を確保すると、設計の自由度が制限されるといった問題があった。
【０００４】
そこで、近年では、床構造や天井構造のうち振動振幅が大きくなる部位に振動を吸収するダンパを取り付けて、衝撃が加わったときの振動を低減することで、遮音性能を向上するといった構造が提案されている。
【０００５】
この種のダンパの１つとして、床板や天井板に加わる衝撃によって粒状体が振動することで、床板や天井板を振動させるためのエネルギーの一部を粒状体の振動のためのエネルギーとして消耗させるとともに、床板や天井板に対してその振動を抑制する反衝撃力を与えて、床板や天井板の振動を低減するようにした衝撃ダンパが知られている。
【０００６】
例えば、特許文献１には、床板を支持する梁の中空部に粒状体を充填することによって、梁自体に衝撃ダンパを組み込んだ床構造が開示されている。また、特許文献２には、セメント製の床板の中空部に粒状体を充填することによって、床板自体に衝撃ダンパを組み込んだ床構造が開示されている。さらに、特許文献３には、梁上面に設置した根太を上下の合板によって挟み込んで、これら上下の合板間に粒状体を充填することによって、床面のほぼ全面に亘って衝撃ダンパを組み込んだ床構造が開示されている。
【０００７】
【特許文献１】特開２００２−１１５３６３号公報
【特許文献２】特開平１０−２０５０４３号公報
【特許文献３】特開平８−１３６７４号公報
【発明の開示】
【発明が解決しようとする課題】
【０００８】
しかしながら、上記の特許文献１に開示されている床構造では、高い剛性が要求される動き難い梁の中空部に粒状体を充填しているので、粒状体の振動による制振効果を十分に生かしきれず、また粒状体の容量や配置箇所も限定されるといった不具合があった。さらに、中空部を有する特別な梁を用いる必要があるため、例えば角材からなる梁や根太を備えた一般的な木造住宅の床構造への適用は困難であった。
【０００９】
また、上記の特許文献２に開示されている床構造では、床板の中空部に粒状体を充填しているので、それだけ床板が重くなって床板の運搬や設置に支障をきたすことになり、また粒状体の容量や配置箇所も限定されるといった不具合があった。さらに、中空部を有するセメントパネル等からなる特別な床板を用いる必要があるため、例えば構造用合板からなる床下地板を根太によって支える一般的な木造住宅の床構造への適用は困難であった。
【００１０】
一方、上記の特許文献３に開示されている床構造においては、中空部を有する特別な仕様の構造材や床板を用いる必要がなく、一般的な木造住宅の床構造へ容易に適用することができる。また、現場における床構造の構築と同時に粒状体の充填がなされるので、施工も良好であり、しかも粒状体の容量や配置箇所も比較的自由に設定することができる。
【００１１】
ところが、上記の特許文献３に開示されている床構造では、粒状体を保持する下側の合板が根太の下面に釘で固定されているだけであり、長期使用により下側の合板に撓みや変形が生じたり、場合によっては根太から脱落するといった危険性があった。かといって、梁上面に下側の合板を載せることで、梁によって下側の合板を下支えして撓みや変形を防止した場合には、それだけ床レベルが全体的に高くなって、室内空間を狭めてしまうといった不具合があった。
【００１２】
そこで、この発明は、上記不具合を解消して、良好な遮音性能を長期に亘って安定的に維持することができ、施工性も良好であり、しかも床レベルを低く抑えて室内空間を広く確保することができる木造住宅の遮音床構造の提供を目的とする。
【課題を解決するための手段】
【００１３】
上記課題を解決するため、この発明の遮音床構造は、略平行に配置した梁１、１の側面間に複数の根太３・・を差し渡して、前記梁１、１の上面よりも下方に位置する前記根太３・・の上面に跨って受け板５を取り付け、この受け板５上に粒状体７・・を敷き込んで、前記梁１、１の上面に跨って床下地板８を取り付けることで、前記床下地板８と受け板５との間に前記粒状体７・・を微動可能に封入したことを特徴とする。
【００１４】
具体的には、前記粒状体７・・を、上下方向に１個のみ存在するような薄層状に敷き込んでいる。また、前記床下地板８と受け板５との間に、スペーサ６・・を介装している。さらに、前記スペーサ６・・を、前記粒状体７・・の敷き込み範囲設定用の枠材としている。さらにまた、前記受け板５及び床下地板８は、合板からなる。
【発明の効果】
【００１５】
この発明の遮音床構造では、略平行に配置した梁間に根太を落とし込んで、これら根太によって下支えした受け板と梁上面に跨って取り付けた床下地板との間に粒状体を封入することで、衝撃ダンパを組み込むようにしていることから、衝撃ダンパを組み込むための特別な仕様の構造材や床板を用意する必要がなく、一般的な木造住宅の床構造に対して大幅な設計変更を伴うことなく容易且つ安価に適用することができる。
【００１６】
しかも、現場における床構造の構築と同時に粒状体の封入すなわち衝撃ダンパの組み込み作業を行うことができて、施工も良好であり、粒状体の容量や配置箇所も比較的自由に設定することができて、粒状体の振動による制振効果を十分に生かした遮音性能の高い構造とすることができる。さらに、粒状体を保持する受け板は、根太によって下支えされているので、受け板の撓みや変形、脱落等を防止して、遮音性能を長期に亘って良好に維持することができる。しかも、根太の落とし込みによるスペースを利用して、粒状体を封入しているので、床レベルを低く抑えて室内空間を広く確保することができる。
【００１７】
さらにまた、粒状体を薄層状に敷き込むことで、根太の落とし込みを小さく抑えることができ、また受け板に対する重量付加も軽減することができる。さらに、床下地板と受け板との間にスペーサを介装することで、床下地板の撓みをスペーサによって防止して、床下地板と受け板との間において粒状体封入用の隙間を良好に確保することができる。しかも、スペーサを粒状体の敷き込み範囲設定用の枠材として利用することで、部材の共通化を図りながら、例えば特に遮音が必要な箇所にのみ粒状体を敷き込むといったように、各種状況に応じたより効果的な遮音対策の実現が可能となる。
【発明を実施するための最良の形態】
【００１８】
以下、この発明の実施形態を図面に基づいて詳細に説明する。この発明の一実施形態に係る遮音床構造は、図１乃至図３に示すように、木造住宅の上階床に適用されている。図において、１は、例えば木製角材からなる床梁、２は、床梁１・・に吊り下げ支持された天井部である。
【００１９】
略平行に配置された床梁１、１の側面間には、これら床梁１、１と直交するように例えば木製角材からなる複数の根太３・・が差し渡されている。これら根太３・・の両端部は、床梁１、１の側面に固定した受け金具４、４へ嵌め込まれている。これにより、根太３・・は、床梁１、１間に落とし込まれた状態となっていて、根太３・・の上面は、床梁１・・の上面よりも例えば２０ｍｍ程度下方に位置している。なお、床梁１・・の芯芯間寸法Ｌ１は、例えば１ｍ程度に設定され、根太３・・の芯芯間寸法Ｌ２は、例えば５００ｍｍ程度に設定されている。
【００２０】
そして、床梁１、１の側面間において、根太３・・の上面に跨って例えば厚さ１５ｍｍ程度の合板からなる受け板５が取り付けられている。したがって、受け板５は、根太３・・によって下支えされた状態となっている。
【００２１】
受け板５上には、根太３・・と直交する方向に沿って例えば木製帯板からなる例えば厚さ５ｍｍ程度の複数のスペーサ６・・が取り付けられている。これらスペーサ６・・は、隣接する床梁１との芯芯間寸法Ｌ３、及び、隣接するスペーサ６との芯芯間寸法Ｌ３が例えば３３３ｍｍ程度確保されている。また、これらスペーサ６・・の上面は、床梁１・・の上面と面一となっている。なお、スペーサ６・・は、根太３・・との交差部分において受け板５及び根太３・・にビス止めされている。
【００２２】
このように、受け板５上にスペーサ６・・を取り付けることで、受け板５上において床梁１・・とスペーサ６・・とによって囲まれた敷き込み範囲１０・・が区画形成され、各敷き込み範囲１０・・のほぼ全面に亘って粒状体７・・が受け板５上に敷き込まれている。粒状体７・・は、上下方向に１個のみ存在するような例えば厚さ４ｍｍ程度の薄層状に敷き込まれている。粒状体７・・としては、例えば金属球が用いられているが、比較的硬くて重量のあるものであれば良い。また、例えば金属球をゴム等の弾性被膜で覆って、騒音対策を施したものを用いるようにしても良い。
【００２３】
そして、これら薄層状の粒状体７・・を覆い隠すようにして、床梁１・・及びスペーサ６・・の上面に跨って例えば厚さ２４ｍｍ程度の構造用合板からなる床下地板８が取り付けられている。これにより、粒状体７・・は、床下地板８と受け板５との間に微動可能に封入された状態となっている。なお、床下地板８は、床梁１・・の上面にビス止めされており、床下地板８上には、フローリング材等の床仕上げ板９が敷設されている。
【００２４】
この場合、床下地板８と受け板５との間にスペーサ６・・が介装されているので、床下地板８の撓みをスペーサ６・・によって防止して、床下地板８と受け板５との間に粒状体７・・を微動可能に封入する隙間を良好に確保することができる。しかも、スペーサ６・・は、床下地板８の撓みを防止するだけでなく、粒状体７・・の敷き込み範囲設定用の枠材としても機能するので、例えばスペーサ６・・の設置場所を適宜調節することで、床の特に遮音が必要な箇所にのみ粒状体７・・を敷き込んだり、床に形成した例えば配管挿通用孔をスペーサ６・・によって事前に囲うことで、粒状体７・・が配管挿通用孔に入り込まないようにすることが可能である。なお、受け板５の上面及び床下地板８の下面に弾性被膜を貼り付けて、騒音対策を施すようにしても良い。
【００２５】
上記構成の遮音床構造において、床仕上げ板９に衝撃力が加わると、その衝撃力によって床下地板８、床梁１・・、根太３・・、受け板５といった床構成部材が振動するとともに、粒状体７・・が床下地板８と受け板５との間において上下方向に振動する。これにより、床構成部材を振動させるためのエネルギーの一部が粒状体７・・の振動のためのエネルギーとして消耗され、床構成部材の振動が低減する。
【００２６】
また、この粒状体７・・の振動に伴って、粒状体７・・同士が衝突し合ったり、粒状体７・・が床下地板８及び受け板５に繰り返し衝突することで、床構成部材に対してその振動を抑制する反衝撃力を与えて、床構成部材の振動が低減する。このようにして、床構成部材の振動を低減することで、下階へ伝搬する床衝撃音を小さく抑えることができ、遮音性能の向上を図ることができる。
【００２７】
この発明は、上記実施形態に限定されるものではなく、この発明の範囲内で上記実施形態に多くの修正及び変更を加え得ることは勿論である。
【図面の簡単な説明】
【００２８】
【図１】この発明の一実施形態に係る遮音床構造の縦断面図である。
【図２】同じくその要部拡大縦断面図である。
【図３】粒状体の敷き込み範囲を示す平面図である。
【符号の説明】
【００２９】
１・・梁(床梁)、３・・根太、５・・受け板、６・・スペーサ、７・・粒状体、８・・床下地板、１０・・敷き込み範囲
【図１】
2008133638.tif 000003
【図２】
2008133638.tif 000004
【図３】
2008133638.tif 000005